(57)【要約】【課題】視聴者の選局可能なチャンネルを増すことで、視聴者の利便性を高める。【解決手段】ＣＰＵ６は、隣接地域で周波数の変更が行われるか否かを判断する。周波数の変更が行われる場合、ダウンロードしたモジュールで示される周波数の変更年月日に、居住地域及び隣接地域に存在する物理チャンネルのスキャンを行う。そのスキャンにより隣接地域の放送局からの放送信号を良好かつ正常に受信できれば、その放送局のチャンネルがリモコン１０の選局ボタンに割り当てられ、そのチャンネルを選局できるようになる。【選択図】  図４
2004312205.tif 000002
【特許請求の範囲】
【請求項１】
視聴者が設定した居住地域に隣接する地域のうちチャンネルスキャンを行いたい隣接地域の指定を受け付け、ＳＤＴＴ（Ｓｏｆｔｗａｒｅ  Ｄｏｗｎｌｏａｄ  Ｔｒｉｇｇｅｒ  Ｔａｂｌｅ）で示されるモジュールのバージョン番号に基づいてモジュールのバージョンの変更があったか否かを判断し、モジュールのバージョンの変更があった場合、モジュールの地域識別に従って、指定された隣接地域のモジュールをダウンロードし、ダウンロードしたモジュールで示される周波数の変更年月日に基づいて、指定された隣接地域のチャンネルの周波数変更があるか否かを判断し、指定された隣接地域でチャンネルの周波数変更がある場合、居住地域及び指定された隣接地域のチャンネルスキャンを周波数の変更年月日に行うことを特徴とする地上波デジタル放送受信機。
【請求項２】
チャンネルスキャンを行いたい地域の指定を受け付け、指定された地域のチャンネルスキャンを行うことを特徴とする地上波デジタル放送受信機。
【請求項３】
視聴者が設定した居住地域の隣接地域を選択することで前記チャンネルスキャンを行いたい地域を指定可能であることを特徴とする請求項２記載の地上波デジタル放送受信機。
【請求項４】
前記チャンネルスキャンは、前記隣接地域の地域識別を有するモジュールのバージョン番号の変更があるか否かに基づいて、前記隣接地域のチャンネルの周波数変更があると判断された場合に行われることを特徴とする請求項３記載の地上波デジタル放送受信機。
【請求項５】
前記バージョン番号は、ＳＤＴＴに示されるバージョン番号であることを特徴とする請求項４記載の地上波デジタル放送受信機。
【請求項６】
前記判断は、前記モジュールで示される周波数の変更年月日にさらに基づいて行われることを特徴とする請求項４記載の地上波デジタル放送受信機。
【請求項７】
前記チャンネルスキャンは、前記周波数の変更年月日に行われることを特徴とする請求項６記載の地上波デジタル放送受信機。
【発明の詳細な説明】
【０００１】
【発明の属する技術分野】
本発明は、地上波デジタル放送受信機に関する。
【０００２】
【従来の技術】
２００３年１２月から三大広域圏（関東、中京、近畿）で本放送の開始が予定されている地上波デジタル放送では、ＵＨＦ帯の１３〜６２ｃｈまでの物理チャンネルを全て検査し、放送の有無を確認するチャンネルスキャンが地上波デジタル放送受信機で行われる。このスキャンは、少なくとも受信機の初回電源投入時に行う必要がある（初回スキャン）。受信機がスキャンにより受信可能な放送を確認すると、その放送の放送局の識別子、チャンネル名などを放送局から取得する。その放送局が、受信機に設定されている視聴者の居住地域の放送局と一致する場合（域内放送局）、その放送局が指定する選局ボタンにその放送局のチャンネルが割り当てられる。放送局が指定する選局ボタンとその放送局のチャンネルとの対応は、予め受信機に記憶されている。この対応の記憶は、放送局が新たに開局した場合などは、その都度更新する必要がある。
【０００３】
一方、その放送局が、受信機に設定されている視聴者の居住地域の放送局と一致しない場合（域外放送局）であっても、域内放送局に割り当てられる選局ボタンと重ならない場合は、その域外放送局が指定する選局ボタンにその域外放送局のチャンネルが割り当てられる。域外放送局による放送信号の受信を越境受信という。例えば、越境受信は、ある地域Ａに隣接する地域Ｂに居住する視聴者の受信機が、地域Ａの放送局の放送信号を受信可能な場合に生じる。つまり、視聴者が居住する地域外に位置する放送局であっても、受信状態が良好であれば、その放送局の放送信号を受信して視聴することが可能である。このような場合であっても、域外放送局のチャンネルを選局ボタンに割り当てて選局・視聴できるようにすることは視聴者にとって選局可能なチャンネルが増し好ましい。
【０００４】
このような越境受信に関する技術として、例えば特許文献１に開示がなされている。特許文献１のネットワークフォローシステムでは、受信局を中心とする円の半径であるサービスエリア半径をユーザが自由に設定することができ、そのサービスエリア半径を有する円内にユーザが位置する場合は受信局を遷移させない。このようにすれば、受信局がカバーするサービスエリアの外に移動しても受信局を遷移させない方が受信状態が良い場合、そのままサービスエリア外の受信局の受信を続けることで使用者が所望の電波を受信できる。
【０００５】
【特許文献１】
特開平１０−１１２６３３号公報（第３頁）
【０００６】
【発明が解決しようとする課題】
上述のように、越境受信ができる地域では、域外放送局のチャンネルも選局ボタンに割り当てる方が視聴者にとって好ましい。しかし、居住地域に隣接する地域で新たな放送局が開局したり、初回スキャンを行った際は受信できなかった域内放送局の放送信号の出力ワット数がその後増大し受信可能となった場合は、手動でスキャンを再度実行しない限りその受信可能な放送局のチャンネルを選局ボタンに割り当てることはできなかった。
【０００７】
また、特許文献１には、初回スキャンで選局ボタンに割り当てることができなかった放送局のチャンネルを選局ボタンに割り当てる技術についての開示はなされていない。
【０００８】
本発明の目的は、視聴者の選局可能なチャンネルを増すことで、視聴者の利便性を高めることを目的とする。
【０００９】
【課題を解決するための手段】
上述の課題を解決するため、本願請求項１に係る地上波デジタル放送受信機は、視聴者が設定した居住地域に隣接する地域のうちチャンネルスキャンを行いたい隣接地域の指定を受け付け、ＳＤＴＴ（Ｓｏｆｔｗａｒｅ  ＤｏｗｎｌｏａｄＴｒｉｇｇｅｒ  Ｔａｂｌｅ）で示されるモジュールのバージョン番号に基づいてモジュールのバージョンの変更があったか否かを判断し、モジュールのバージョンの変更があった場合、モジュールの地域識別に従って、指定された隣接地域のモジュールをダウンロードし、ダウンロードしたモジュールで示される周波数の変更年月日に基づいて、指定された隣接地域のチャンネルの周波数変更があるか否かを判断し、指定された隣接地域でチャンネルの周波数変更がある場合、居住地域及び指定された隣接地域のチャンネルスキャンを周波数の変更年月日に行うことを特徴とする。
【００１０】
ここでは、チャンネルスキャンを行いたい隣接地域を指定すれば、周波数の変更年月日に居住地域及びその隣接地域のチャンネルスキャンが行われる。従って、受信機の初回電源投入時に行われたチャンネルスキャン（初回スキャン）などの実行時には、隣接地域の放送局がまだ開局していなかったり、居住地域の放送局の出力ワット数が小さいなどの理由で受信機の選局ボタンに割り当てることができなかったチャンネルを割り当てることができる。そして、視聴者の選局可能なチャンネルが増し、視聴者の利便性が高まる。
【００１１】
請求項２に係る地上波デジタル放送受信機は、チャンネルスキャンを行いたい地域の指定を受け付け、指定された地域のチャンネルスキャンを行うことを特徴とする。
【００１２】
ここでは、チャンネルスキャンを行いたい地域を指定すれば、その地域のチャンネルスキャンが行われる。従って、受信機の初回電源投入時に行われたチャンネルスキャン（初回スキャン）などの実行時には、放送局がまだ開局していなかったり、出力ワット数が小さいなどの理由で受信機の選局ボタンに割り当てることができなかったチャンネルを指定してスキャンし、放送信号を正常かつ良好に受信すれば選局ボタンに割り当てることができる。こうすれば、視聴者の選局可能なチャンネルが増し、視聴者の利便性が高まる。
【００１３】
請求項３に係る地上波デジタル放送受信機は、請求項２記載の地上波デジタル放送受信機において、視聴者が設定した居住地域の隣接地域を選択することで前記チャンネルスキャンを行いたい地域を指定可能であることを特徴とする。
【００１４】
ここでは、居住地域を設定しておけば、チャンネルスキャンを行いたい地域として隣接地域を選択して指定できる。従って、視聴者が居住する地域に隣接する地域を簡単に指定できる。
【００１５】
請求項４に係る地上波デジタル放送受信機は、請求項３記載の地上波デジタル放送受信機において、前記チャンネルスキャンは、前記隣接地域の地域識別を有するモジュールのバージョン番号の変更があるか否かに基づいて、前記隣接地域のチャンネルの周波数変更があると判断された場合に行われることを特徴とする。
【００１６】
ここでは、モジュールのバージョン番号の変更があった場合、隣接地域のチャンネルの周波数変更があると判断され、チャンネルスキャンが行われる。即ち、いずれかの隣接地域において周波数の変更がある場合にチャンネルスキャンが行われるため、放送局の開局・閉鎖などによる周波数の変更が全くないにもかかわらず無駄なチャンネルスキャンが行われることを防ぐことができる。
【００１７】
請求項５に係る地上波デジタル放送受信機は、請求項４記載の地上波デジタル放送受信機において、前記バージョン番号は、ＳＤＴＴに示されるバージョン番号であることを特徴とする。
【００１８】
ここでは、ＳＤＴＴに示されているバージョン番号に基づきモジュールのバージョンの変更があることを判断できる。即ち、バージョン番号を参照すれば、モジュールのバージョンの変更の有無の判断が容易にできる。
【００１９】
請求項６に係る地上波デジタル放送受信機は、請求項４記載の地上波デジタル放送受信機において、前記判断は、前記モジュールで示される周波数の変更年月日にさらに基づいて行われることを特徴とする。
【００２０】
ここでは、モジュールで示される周波数の変更年月日に基づいて周波数変更があると判断される。例えば、今回ダウンロードしたモジュールで示される周波数の変更年月日が前回ダウンロードしたモジュールで示される周波数の変更年月日と異なる場合、周波数変更があると判断する。あるいは、今回ダウンロードしたモジュールで示される周波数の変更年月日が現在の年月日以降である場合、周波数変更があると判断する。このようにすれば、隣接地域の放送局の周波数の変更があるか否かの判断を正確に行うことができる。
【００２１】
請求項７に係る地上波デジタル放送受信機は、請求項６記載の地上波デジタル放送受信機において、前記チャンネルスキャンは、前記周波数の変更年月日に行われることを特徴とする。
【００２２】
ここでは、周波数の変更年月日にスキャンが行われる。従って、新規に開局する放送局の開局スケジュールに合わせた合理的なチャンネルスキャン及びチャンネルの選局ボタンへの割り当てが可能となる。
【００２３】
【発明の実施の形態】
＜第１実施形態＞
（１）構成
図１は、本発明の一実施形態に係る地上波デジタル放送受信機の構成図である。この受信機は、ＯＦＤＭチューナ回路１と、ＤＥ・ＭＵＸ回路２と、ＭＰＥＧＤＥＣＯＤＥＲ回路３と、ＧＲＡＰＨＩＣ回路４と、ＮＴＳＣエンコーダ回路５と、ＣＰＵ６と、メモリ７，８と、赤外線受信部９とを備えている。ＯＦＤＭチューナ回路１は、ＣＰＵ６により設定されるチャンネルの周波数に基づいて放送信号を受信する。ＤＥ・ＭＵＸ回路２は、ＯＦＤＭ信号をＭＰＥＧ形式のデータにデコードしてＭＰＥＧ  ＤＥＣＯＤＥＲ回路３に出力するとともに、ＮＩＴに含まれる地域識別情報をＣＰＵ６に入力する。ＭＰＥＧ  ＤＥＣＯＤＥＲ回路３は、ＭＰＥＧ形式のデータをデコードする。ＧＲＡＰＨＩＣ回路４は、デコードされたＭＰＥＧ形式のデータを画像信号に変換する。ＮＴＳＣエンコーダ回路５は、画像信号をＮＴＳＣ信号に変換し、テレビ等の表示装置２０に出力する。なお、テレビがＤ端子を有している場合には、Ｄ端子に入力するようにしてもよい。
【００２４】
ＣＰＵ６は、ＯＦＤＭチューナ回路１にチャンネルの周波数を設定することによりチャンネルスキャンを行う。チャンネルスキャンの結果、ある放送局からの放送信号が正常かつ良好に受信できると判断された場合、ＣＰＵ６は、その放送局の識別番号及び周波数と、その放送局に割り当てるべきリモコン１０の選局ボタンの番号とを対応づけてメモリ８に記憶する。なお、放送局とその放送局に割り当てるべきリモコン１０の選局ボタンの番号との対応は各地域ごとに予め定められており、メモリ８は放送局と選局ボタンの番号とを対応させたテーブルを各地域ごとに記憶している。
【００２５】
ＣＰＵ６は、赤外線受信部９と接続されている。赤外線受信部９は、リモコン１０の選局ボタンの操作に基づく赤外線信号を受信する。この赤外線信号には、選局ボタンの番号を示す情報が含まれる。ＣＰＵ６は、この赤外線信号に基づいて操作された選局ボタンに対応する周波数をＯＦＤＭチューナ回路１に設定し、放送信号を受信する。
【００２６】
メモリ７は、揮発性のメモリ、例えばＲＡＭである。メモリ８は、フラッシュメモリ等の不揮発性のメモリ、例えばＥＥＰＲＯＭである。メモリ７は、受信信号に含まれる情報を一時的に記憶する。
【００２７】
図２は、地域テーブル３０に記憶される情報の概念説明図である。このテーブルには、居住地域及びその地域識別と、隣接地域及びその地域識別とが対応づけられている。例えば、居住地域「東京都」には、隣接地域「埼玉県」、「千葉県」及び「神奈川県」が対応づけられている。このテーブルは、後述の隣接地域スキャン処理の実行の際に参照される。
【００２８】
地域設定は、図３に例示する地域設定ウィンドウで行う。このウィンドウでは、視聴者が居住する地域である居住地域をドロップダウンリスト３１から選択できる。居住地域が選択されると、選択した居住地域に対応する隣接地域が地域テーブル３０から取得されてリストボックス３２に表示される。ここでは、居住地域「東京都」がドロップダウンリスト３１から選択されており、「東京都」に対応する隣接地域「神奈川県」、「埼玉県」及び「千葉県」がリストボックス３２に表示されている。リストボックス３２に表示された隣接地域のうち、任意の隣接地域を選択ボタン３３で選択し、リストボックス３４に加えることで、スキャンしたい隣接地域を指定することができる。ここでは、「千葉県」がスキャンしたい隣接地域としてリストボックス３４に加えられている。この画面で選択された居住地域、隣接地域及びそれらの地域識別は、メモリ８に記憶される。
【００２９】
なお、リストボックス３４に加えることができる地域として、居住地域の隣接地域以外の任意の地域を選択できるようにしてもよい。
【００３０】
（２）処理の流れ
次に、ＣＰＵ６が行う処理について説明する。ＣＰＵ６は、隣接地域スキャン処理を行う。隣接地域スキャン処理では、地域設定ウィンドウで指定された隣接地域に存在する物理チャンネルがスキャンされる。以下、隣接地域スキャン処理の流れを図４のフローチャートに基づいて説明する。この処理は、受信機の初回電源投入時に行われるチャンネルスキャン（初回スキャン）が完了したときに開始する。
【００３１】
ステップＳ１１：ＣＰＵ６は、放送局から逐次送信されるＳＤＴＴ（Ｓｏｆｔｗａｒｅ  Ｄｏｗｎｌｏａｄ  Ｔｒｉｇｇｅｒ  Ｔａｂｌｅ）に含まれるモジュールのバージョン番号に基づき、モジュールのバージョンが変更されたか否かを判断する。ここで、モジュールのバージョン番号は、ある地域で放送局が開局するなどして周波数の変更があった場合に変更されるものとする。バージョンが変更された場合、ステップＳ１２へ移行する。バージョンが変更されていない場合、以後送信されるＳＤＴＴについて上記判断を繰り返す。
【００３２】
ステップＳ１２：ＣＰＵ６は、メモリ８に記憶された隣接地域の地域識別を参照し、この地域識別を有するモジュールを放送局からダウンロードしてメモリ７に記憶する。ここで、各モジュールはそれぞれ地域識別を有しており、各地域ごとのモジュールが放送局から逐次送信されるものとする。
【００３３】
ステップＳ１３：ＣＰＵ６は、メモリ７に記憶されたモジュールで示される周波数の変更年月日を参照し、隣接地域で周波数の変更が行われるか否かを判断する。この判断は、次のようにして行うことができる。例えば、ステップＳ１２でダウンロードしたモジュールで示される周波数の変更年月日が現在の年月日と同一かそれ以降である場合は今後周波数の変更が行われると判断する。また、変更年月日が現在の年月日より以前である場合は今後周波数の変更が行われないと判断する。あるいは、ステップＳ１２でダウンロードしたモジュールで示される周波数の変更年月日が既にダウンロードしたモジュールで示される周波数の変更年月日と異なる場合、周波数変更が行われると判断する。周波数の変更が行われる場合、ステップＳ１４へ移行する。周波数の変更が行われない場合、本処理を終了する。
【００３４】
ステップＳ１４：ＣＰＵ６は、ダウンロードしたモジュールで示される周波数の変更年月日に、居住地域及び隣接地域に存在する物理チャンネルのスキャンを行う。
【００３５】
以上の処理により、隣接地域で周波数の変更がある場合はその変更がある年月日に居住地域及び隣接地域のチャンネルのスキャンが行われる。従って、そのスキャンにより隣接地域の放送局からの放送信号を良好かつ正常に受信できれば、その放送局のチャンネルがリモコン１０の選局ボタンに割り当てられ、そのチャンネルを選局できるようになる。また、この際、初回スキャン時には信号の出力ワット数が小さく受信不可能であった居住地域の放送局が、その後信号の出力ワット数が大きくなって受信可能となった場合は、その放送局のチャンネルもリモコン１０の選局ボタンに割り当てられ、選局できるようになる。加えて、以上のように選局可能なチャンネルが増えれば、視聴者の利便性が高まる。
【００３６】
【発明の効果】
本発明によると、チャンネルスキャンを行いたい地域を指定すれば、その地域のチャンネルスキャンが行われる。従って、初回スキャンなどの実行時には、放送局がまだ開局していなかったり、信号出力ワット数が小さいなどの理由で受信機の選局ボタンに割り当てることができなかったチャンネルを指定してスキャンし、放送信号を正常かつ良好に受信すれば選局ボタンに割り当てることができる。そして、視聴者の選局可能なチャンネルが増し、視聴者の利便性が高まる。
【図面の簡単な説明】
【図１】地上波デジタル放送受信機の構成図。
【図２】地域テーブルに記憶される情報の概念説明図。
【図３】地域設定ウィンドウの一例。
【図４】隣接地域スキャン処理の流れを示すフローチャート。
【符号の説明】
６：ＣＰＵ
７、８：メモリ
１０：リモコン
【図１】
2004312205.tif 000003
【図２】
2004312205.tif 000004
【図３】
2004312205.tif 000005
【図４】
2004312205.tif 000006